(57)【特許請求の範囲】
【請求項１】
複数の外筒ピンを内筒側に付勢して具備した外筒と、前記外筒ピンに対向させた複数の内筒ピンを具備すると共に先端部に作動体が設けられ且つキー挿入孔を設けた内筒とから成り、常態においては、外筒ピンが内筒ピンの収納孔に入り込んで施錠状態にあり、前記キー挿入孔にキーを挿入すれば、前記外筒ピンと内筒ピンの当接ラインが外筒と内筒との境界面上に並び、前記キーを回転させて内筒を回転させて解錠するようにしたシリンダ錠において、前記外筒の１又は複数のピン収納孔に収納したピン、又は、該ピンに代え外筒の前記ピン収納孔に収納した施錠杆を二重施錠用の電動ピンとし、この電動ピンにそれを上下動させるための駆動源を結合する一方、当該電動ピンに対応する前記キーの部位には鍵山を設けない構成にし、二重施錠に際しては、前記内筒からキーを抜き出して前記ピン又は施錠杆を駆動力により下降させ、解錠に際しては、前記ピン又は施錠杆を駆動力により元の位置に戻してその位置に保持し、前記キー挿入孔へのキーの挿入，回転により、解錠されるようにしたことを特徴とする電気シリンダ錠。
【請求項２】
シリンダ錠において、最先端の外筒のピン収納孔に収納したピン又はピンに代えて当該収納孔に収納した二重施錠用の施錠杆を、電気−機械駆動力により上下動固定自在に形成すると共に、停電等の非常時には、前記ピン又は施錠杆に作用する鍵山部を具備した解錠専用キーを使用するようにした請求項１に記載の電気シリンダ錠。
【請求項３】
キーの摘子部をハンドルに一体的に取付けた請求項１又は２に記載の電気シリンダ錠。
【請求項４】
二重施錠用のピン又は施錠杆の電力による作動を暗証番号装置により行うようにした請求項１〜３のいずれかに記載の電気シリンダ錠。
【発明の詳細な説明】
【０００１】
【発明の属する技術分野】
本発明は、家具用の錠として有用なシリンダ錠を用いた電気錠に関するものである。
【０００２】
【従来の技術】
従来、家具用の錠として使用されている電気錠は、目的に合わせた設計により作製された専用のものが殆どであった。
【０００３】
然し乍ら、上記の従来の電気錠は、価格的に高価なものとなるばかりでなく、家具への取付けも専用の設計によらなければならず、特に電気錠自体に不具合の生じた場合は、別の非常解錠装置を必要とせざるを得なかったので、取扱上も不便なことが多かった。
【０００４】
【発明が解決しようとする課題】
本発明は、上述のような従来技術に鑑み、従来家具用の錠前として一般に多用されているシリンダ錠そのものを基体とすることにより、簡単な構造で安価に製造でき、取扱いも容易な電気錠を提供することを、その課題とするものである。
【０００５】
【課題を解決するための手段】
上記課題を解決することを目的としてなされた本発明電気錠の構成は、複数の外筒ピンを内筒側に付勢して具備した外筒と、前記外筒ピンに対向させた複数の内筒ピンを具備すると共に先端部に作動体が設けられ且つキー挿入孔を設けた内筒とから成り、常態においては、外筒ピンが内筒ピンの収納孔に入り込んで施錠状態にあり、前記キー挿入孔にキーを挿入すれば、前記外筒ピンと内筒ピンの当接ラインが外筒と内筒との境界面上に並び、前記キーを回転させて内筒を回転させて解錠するようにしたシリンダ錠において、前記外筒の１又は複数のピン収納孔に収納したピン、又は、該ピンに代え外筒の前記ピン収納孔に収納した施錠杆を二重施錠用の電動ピンとし、この電動ピンにそれを上下動させるための駆動源を結合する一方、当該電動ピンに対応する前記キーの部位には鍵山を設けない構成にし、二重施錠に際しては、前記内筒からキーを抜き出して前記ピン又は施錠杆を駆動力により下降させ、解錠に際しては、前記ピン又は施錠杆を駆動力により元の位置に戻してその位置に保持し、前記キー挿入孔へのキーの挿入，回転により、解錠されるようにしたことを特徴とするものである。
【０００６】
上記シリンダ錠において、内筒の最先端部のピン収納孔にピンを収納せず、外筒の最先端部のピン収納孔に二重施錠用の施錠杆を電動ピンとして収納し、該電動ピンを駆動力により上下動固定自在にし、且つ、キーの長さをピン収納孔一つ分短く形成すれば、キー挿入孔にキーを挿入したまま前記電動ピンによる施錠ができ、従って、前記キーの摘子部分を家具の扉のハンドルとなる形態に形成すると、このハンドルを回転させようとしても回転できないので安全性は高く、また、施錠状態の電動ピンを復元させれば、そのまま前記ハンドルの回転によりシリンダ錠の施解錠ができるので、扉の開閉を行うことができる。なお、この場合において、解錠に際して二重施錠用の電動ピンの動きに不具合が生じたら、前記ハンドルと一体のキーをその挿入孔から抜き去り、前記電動ピンに届くように形成した上記のキーより長い非常解錠用のキーを用いる。なお、上記の駆動力としては、電気モータ，ソレノイドなどを使用する。
【０００７】
キーの摘子部を扉のハンドルとして掴めるように形成すると共に、シリンダ錠の内筒先端部にラッチのような作動体を取付ければ、キーをその挿入孔に挿入した状態のままそのハンドルを掴んで家具の扉などを開閉することができるが、キーと一体のハンドルを挿入孔から取り外せば、本来のシリンダ錠による施錠状態となり、この状態で二重施錠用の電動ピンを駆動力により下動させることにより、二重の施錠が行われるので、安全性が一層高くなる。
【０００８】
更に、二重施錠用の電動ピンを上下動させる駆動力の出力制御を、公知技術である暗証番号の入力方式により行うようにし、暗証番号の表示入力部を家具の扉などに取付けるようにすれば、本発明電気シリンダ錠を取付ける家具などの体裁を損なうおそれはない。
【０００９】
【発明の実施の形態】
次に本発明電気錠の実施の形態例を図により説明する。図１は既製シリンダ錠における外筒の先端部のピン収納孔を二重施錠用のピン収納孔とした例の断面図、図２は二重施錠用のピンを作動させる機構の一例の背面図、図３は外筒に設けた中間のピン収納孔に施錠杆を収納した例の断面図、図４は本発明電気錠を家具の扉に取付けた状態の正面図である。
【００１０】
図１において、１は公知シリンダ錠と同様のシリンダ錠の外筒で、図の例では上部に５個のピン収納孔1a〜1eを設け、各ピン収納孔に外筒ピンPa〜Peが収納され、各ピンは夫々にスプリングＳにより下方に付勢されている。２は前記外筒１に嵌装した内筒で、上部に前記外筒１のピン収納孔1a〜1eに対向させてピン収納孔2a〜2eを設け、それらピン収納孔2a〜2eに内筒ピンPa′〜Pe′が収納されると共に、ピン収納孔2a〜2eの下方が、キー３を挿入するための溝状をなすキー挿入孔2fに形成してある。ここで、外筒１の一番奥のピンPeは二重施錠用の電動ピンとして作用するようになっていて、以上の外筒１及び内筒２によりシリンダ錠ＣＲの本体を構成する。なお、内筒先端のピンPe′は、非常開錠のために使用する非常用キーに対応するためのものである。このシリンダ錠ＣＲの本体は、公知或は既製のシリンダ錠と同じ構造であるから、本発明ではシリンダ錠に既製品を使用することもできる。
【００１１】
３は内筒２のキー挿入孔2fに挿入したキーで、このキー３を挿入することにより、内外筒１，２におけるピンPa〜PeとPa′〜Pe′の当接部が一線上になるので、この状態でキー３を回転すれば、内筒２が回転する。従って、内筒２の先端部にラッチなどの作動体Ｌを取付けておけば、キー３の回転により作動体Ｌは回転して、鎖錠又は解錠状態に置かれるようになっている。この点は、公知シリンダ錠と同じである。
【００１２】
本発明では、上記シリンダ錠において、キー３の先端側を内筒ピン2e′に作用しないように短く形成し、かつ、二重施錠に利用するピンPeを電動ピンとしてモータやソレノイドを利用した駆動力により作動させるようにしたものであるので、次にその機構例と作動例について説明する。即ち、図２に例示するように、外筒１の側面に配置したコ字状をなすフレーム４に装着したモータＭの回転軸５に出力歯車６を取付け、該歯車６に噛合する歯車７の軸に螺杆８を一体に取付ける一方、この螺杆８に駆動ナット９を螺合させると共に、該駆動ナット９の一側に連結用の取付部材10を介してピン状をなす施錠杆11を、電動ピンとして取付け、この杆11の先端部をピン収納孔1eに挿入する一方、駆動ナット９の他側はフレーム４に装着したストローク検出器12に関連させて作動機構の一例を形成する。
【００１３】
この機構では、キー挿入孔2fからキー３を抜き取った状態（施錠状態）でモータＭを駆動し、該モータＭの駆動が歯車６，７を経由して螺杆８に伝達されると、この螺杆８の回転によって、駆動ナット９が下降し、施錠杆11の先端部が図１の二重施錠用の外筒１のピンPeを押し下げるので、このピンPeの中間部が外筒１と内筒２の境界部に位置して外筒１内での内筒２の回転を不能にし、二重施錠状態となる。この二重施錠状態では、キー３を挿入孔2fに入れても、解錠できない。この二重施錠状態から解錠する場合は、モータＭを上記とは逆に回転させれば、駆動ナット９も同様に回転して、施錠杆11は上昇する。この上昇はストローク検出器12により検出されて、ピンPeの下端がピン収納孔1e内に収納されたことを確認するので、そこでモータＭの駆動を停止すればよい。この状態でキー挿入孔2fへキー３を挿入して回転すれば、解錠される。ここで、キー３を挿入するタイミングは、前記ピンPeを上昇させる前，後のいずれであってもよい。また、施錠杆11にはそれを下向きに付勢するスプリング11aが設けられている。
【００１４】
なお、上記例において電動ピンとして作動させたピンPeに代え、長目に形成した施錠杆11をピン収納孔1eに収納し、二重施錠に際しては、該施錠杆11をその下端部をピン孔1e，2eの境界部より下に位置するように下降させるようにしてもよい。この場合には、先に述べた内筒先端のピンPe′は要らない。
【００１５】
本発明においては、上記例におけるキー３の摘子部3aを家具の扉のハンドルＮ（図４参照）などに一体的に形成することがある。この場合において、電動ピンPeを作動させる解錠に際して、二重施錠用の前記ピンPe又は施錠杆11が停電などで動作できない不具合が生じたら、ハンドルと一体のキー３を抜き去り、前記ピンPe又は施錠杆11に作用する鍵山部を具備した上記のキー３より長い非常解錠用のキー（図示せず）を用いる。
【００１６】
また、上記例においては、二重施錠用の電動ピンを最先端のピンPeとしたが、図３に示すように、中間適宜の位置のピン、例えば、ピンP3としてもよい。この場合にも、ピンP3に代え上記例の施錠杆11と同形態の杆11を用いることができる。中間部のピン又は施錠杆を電動ピンとして作用させる場合には、当該中間部のピン（又は施錠杆）は、通常キー３が作用せず（当該部位に鍵山がない）、非常用キーのみが作用するように、各キーを形成する。
即ち、図３は、ソレノイドＳのロッドSrにより作動される二重施錠用の施錠杆Ａ（ピンP3を兼用）を用いた例であり、Ｈは施錠杆Ａの頭1aを内部スプリングｄにより押さえた状態で保持するホルダである。この構造の場合には、キー３をキー挿入孔2fから抜き取った状態で、上記と同様の操作を行えばよい。図３において、P1〜P5は外筒ピン、P1′〜P5′は内筒ピンである。なお、二重施錠用のピン又は施錠杆を作動させる電気系統に不具合の生じて動かせない場合は、非常解錠用のキーを用いて解錠する点は、先の例と同じである。
【００１７】
上述した本発明電気シリンダ錠は、内筒２の先端部にラッチＬを定着し、該内筒２の前側を露出させて家具等の扉に取付け、該扉の枠に前記ラッチＬを受け入れて係止する係止部（図示せず）を設ける一方、キー３の摘子部3aにハンドルＮを一体的に形成して、キー３をキー挿入孔2fに挿入しておけば、ハンドルＮを掴んで扉を開閉でき、また、施錠する場合は、キー３をハンドルＮと共にキー溝2fから抜き出して、モータＭを又はソレノイドＳ等の駆動源を作動させて二重施錠用の電動ピンであるピンPe又は施錠杆11を下降させれば、扉はシリンダ錠と電気錠とによる二重の施錠を行うことができるので、安全性は極めて高いものとなる。なお、上記例では電動ピンを１本に設定したものであるが、少なくとも１本のピンをキー３用として残し、２本以上のピンを電動ピンとして作動させるように設定することも可能である。
【００１８】
本発明においては、電動ピンの作動駆動源であるモータＭ又はソレノイドＳの駆動に、公知の暗証番号による入力回路を採用すれば、図４に例示するように金庫等の扉Ｄの表面に平板な暗証番号入力装置Ｉを取付けることにより、家具の体裁を損なうおそれも殆んどない。
【００１９】
【発明の効果】
本発明は上述のとおりであって、家具用などの錠として従来多用されているシリンダ錠をそのまま用い、その中の少なくとも１本のピンを電動ピンとしてモータ等の駆動力で上下動させ、前記シリンダ錠による施錠と電動ピンによる施錠の二重施錠が可能な電気シリンダ錠に形成したから、その家具等への取付は従来のシリンダ錠と殆んど同じで極めて簡易であり、また、従来の専用電気錠に比べて構造が極めて簡潔で低廉に作製提供することができ、更に、二重施錠のための電動ピンであるピン又は施錠杆の作動は小さな力しか必要としないので、小さな駆動機構で足り、従って、小型のモータやソレノイドにより電動ピンの駆動源を実現できる。なお、本発明電気シリンダ錠は家具に限られることなく、他の物品の扉などにも適用できること勿論である。
【００２０】
また、本発明の電気シリンダ錠は、電動ピンの上下方向の動きを外部から検出できるように設定しておくことにより、ピンの不正な動きを検出することが可能となるので、盗難等の以上検出機能を付加することができて、安全性の極めて高い錠前となる。
【図面の簡単な説明】
【図１】  既製シリンダ錠における外筒の先端部のピン収納孔を二重施錠用のピン収納孔とした例の断面図。
【図２】  二重施錠用のピンを機構させる装置の一例の背面図。
【図３】  外筒に設けた中間のピン収納孔に施錠杆を収納した例の断面図。
【図４】  本発明電気錠を家具の扉に取付けた状態の正面図。
【符号の説明】
１  シリンダ錠の外筒
1a〜1e  ピン収納孔
Pa〜Pe  外筒ピン
２  シリンダ錠の内筒
2a〜2e  ピン収納孔
2f  キー溝
Pa′〜Pe′  内筒ピン
３  キー
４  作動体
５  モータの回転軸
６，７  歯車
８  螺杆
９  駆動ナット
11  施錠杆
12  ストローク検出器
【図１】
0004350862.tif 000002
【図２】
0004350862.tif 000003
【図３】
0004350862.tif 000004
【図４】
0004350862.tif 000005